(57)【要約】【課題】設置済管の横に沿うように管を進行させる際に、凹凸係合部を備えずとも管の進行方向を一定にできる管の設置方法などを提供する。また、凹凸係合部を備えた場合でも管の進行の際に凹凸係合部に一定方向の力が加わるようにできて、凹凸係合部の製造コストを安価にできる管の設置方法などを提供する。【解決手段】既に地中に設置されている設置済管５０の外面に沿って設置済管５０の延長方向に管１を進行させることで設置済管５０に並ぶように管１を地中に設置する管の設置方法において、管１として、管１の一端開口縁面２０の全部又は一部が管１の一端１ａから管の他端１ｂ方向に向けて傾斜する傾斜面２６に形成されたものを用い、管１の傾斜面２６の傾斜始端側を設置済管５０の外面側に位置させて管１を設置済管５０の外面に沿って設置済管５０の延長方向に進行させて地中に設置する。【選択図】図１
2011111728.tif 000002
【特許請求の範囲】
【請求項１】
既に地中に設置されている設置済管の外面に沿って設置済管の延長方向に管を進行させることで設置済管に並ぶように管を地中に設置する管の設置方法において、
管として、管の一端開口縁面の全部又は一部が管の一端から管の他端方向に向けて傾斜する傾斜面に形成されたものを用い、管の傾斜面の傾斜始端側を設置済管の外面側に位置させて管を設置済管の外面に沿って設置済管の延長方向に進行させて地中に設置することを特徴とする管の設置方法。
【請求項２】
既に地中に設置されている設置済管の外面に沿って設置済管の延長方向に管を進行させることで設置済管に並ぶように管を地中に設置する管の設置方法において、
設置済管及び管として横断面矩形状に形成されたものを用い、管は管の一端開口縁面の全部が管の一端から管の他端方向に向けて傾斜する傾斜面に形成されたものを用い、傾斜面は管の一方の外面の一端から管の他端方向に向けて傾斜して管の一方の外面と平行に対向する他方の外面に到達する傾斜面に形成されたものを用い、管の傾斜面の傾斜始端側である管の一方の外面側を設置済管の外面側に位置させて管を設置済管の外面に沿って設置済管の延長方向に進行させて地中に設置することを特徴とする管の設置方法。
【請求項３】
設置済管及び管として、曲がって延長する曲管を用いたことを特徴とする請求項１に記載の管の設置方法。
【請求項４】
請求項１に記載の管の設置方法に用いる管であって、管の一端開口縁面の全部又は一部が管の一端から管の他端方向に向けて傾斜する傾斜面に形成されたことを特徴とする管。
【請求項５】
請求項２に記載の管の設置方法に用いる管であって、横断面矩形状に形成され、管の一方の外面の一端から管の他端方向に向けて傾斜して管の一方の外面と平行に対向する他方の外面に到達する傾斜面を備えたことを特徴とする管。
【請求項６】
管として、外面にプレートを備えたものを用い、管の進行に伴ってプレートを設置済管の外面上で摺動させて、プレートが管の外面と設置済管の外面とを跨ぐように管を設置することを特徴とする請求項１又は請求項２に記載の管の設置方法。
【請求項７】
管として、外面に互いに対向する一対のプレートを備えたものを用い、管の進行に伴ってプレートを設置済管の外面上で摺動させて、プレートが管の外面と設置済管の外面とを跨ぐとともに一対のプレートで設置済管を挟み込むように管を設置することを特徴とする請求項１又は請求項２に記載の管の設置方法。
【請求項８】
請求項６又は請求項７に記載の管の設置方法に用いる管であって、管の一端開口縁面の全部又は一部が管の一端から管の他端方向に向けて傾斜する傾斜面と、管の外面に固定されて管の外面から突出するプレートとを備えたことを特徴とする管。
【請求項９】
請求項６又は請求項７に記載の管の設置方法に用いる管であって、横断面矩形状に形成され、管の一方の外面の一端から管の他端方向に向けて傾斜して管の一方の外面と平行に対向する他方の外面に到達する傾斜面と、管の一方の外面と直交する外面に固定されて当該外面における一方の外面側の縁から外方にはみ出して一方の外面と直交するとともに互いに平行に対向する一対のプレートと備えたことを特徴とする管。
【発明の詳細な説明】
【技術分野】
【０００１】
本発明は、既に地中に設置されている設置済管に並ぶように管を地中に設置する方法及び当該方法に用いる管に関する。
【背景技術】
【０００２】
地中に鋼管のような管を並べて設置して支保工を構築する方法が知られている（例えば、特許文献１乃至４等参照）。
図１５に示すように、地中１０に構築される支保工１１としては、地中１０に形成された一方のトンネル空洞部１００と他方のトンネル空洞部１００との間に跨るように複数の曲管２を連続させて構築されるもの（図１５（ａ）参照）や、地中１０に形成された空洞部１００から出発して当該空洞部１００に戻るように複数の曲管２を連続させて構築されるもの（図１５（ｂ）参照）などがある。
図１６；図１７に示すように、先頭に位置される曲管２である先頭管６と先頭管６の後に続くように設けられる後続の複数の曲管２である後続管７とにより形成される連続する曲管６７によって構築される支保工１１は、互いに隣り合うように設けられる。即ち、支保工１１は、先頭管６を矢印Ｆ方向に進行させることと、先頭管６の後に後続管７を順次繋いで行くことを繰り返すことにより、地中１０に構築される。
また、図１８；図１９に示すように、真っ直ぐに延長する管２Ａ（中心軸が直線である管）を用いて、一方のトンネル空洞部１００と他方のトンネル空洞部１００との間に跨るように複数の管２Ａを連続させて設置して支保工を構築する場合（図１８参照）や、トンネルを掘る部分においてトンネルの延長方向に延長するように管２Ａを設置して支保工を構築する場合もある（図１９参照）。
ところで、既に地中に設置された複数の管（曲管２又は管２Ａ）又は１本の管からなる設置済管により形成された支保工の横に沿うように次の支保工を形成するための管を設置する場合、管が土圧を受けて管の進行方向が定まらないことがあり、管が設置済管から離れて地中１０を進行する場合がある。
そこで、既に地中に設置されている設置済管により形成された支保工の横に沿うように次の支保工を形成するための管を設置する場合、設置済管となる管に凹係合部（又は凸係合部）を設け、設置済管の横に沿うように設置する管に凸係合部（又は凹係合部）を設け、設置済管となる管と設置済管の横に沿うように設置する管とを凹凸係合させることで、管が設置済管から離れて地中１０を進行するのを防止するようにしている（例えば、特許文献３乃至５等参照）。
【先行技術文献】
【特許文献】
【０００３】
【特許文献１】特許第４０５７４３９号公報
【特許文献２】特開２００８−５０８０９号公報
【特許文献３】特開２００２−４７８７９号公報
【特許文献４】特開２００５−２４８６５８号公報
【特許文献５】特開平１１−１７３０６６号公報
【発明の概要】
【発明が解決しようとする課題】
【０００４】
しかしながら、上記の場合、管として一対の凹凸係合部を備えた特殊な管を用いなくてはならず、管のコストが高くなって不経済である。また、一対の凹凸係合部を備えた管を用いる場合、設置済管の横に沿うように管を進行させる際に、設置済管と当該管との凹凸係合部に様々な方向からの力が加わりやすいので、凹凸係合部が離反しないように凹凸係合部を頑丈に形成しなくてはならず、凹凸係合部の製造コストも高くなって不経済であるといった問題点もあった。
本発明は、上記問題点に鑑みてなされたもので、設置済管の横に沿うように管を進行させる際に、凹凸係合部を備えずとも管の進行方向を一定にできる管の設置方法などを提供する。また、凹凸係合部を備えた場合でも管の進行の際に凹凸係合部に一定方向の力が加わるようにできて、凹凸係合部の製造コストを安価にできる管の設置方法などを提供する。
【課題を解決するための手段】
【０００５】
本発明に係る管の設置方法は、既に地中に設置されている設置済管の外面に沿って設置済管の延長方向に管を進行させることで設置済管に並ぶように管を地中に設置する管の設置方法において、管として、管の一端開口縁面の全部又は一部が管の一端から管の他端方向に向けて傾斜する傾斜面に形成されたものを用い、管の傾斜面の傾斜始端側を設置済管の外面側に位置させて管を設置済管の外面に沿って設置済管の延長方向に進行させて地中に設置するので、設置済管の横に沿うように管を進行させる際に傾斜面が土圧を受けることで、設置済管と管とに凹凸係合部を備えずとも管の進行方向を一定にでき、管が設置済管から離れて地中を進行するのを防止できる。また、設置済管と管とに凹凸係合部を備えた場合でも管の進行の際に凹凸係合部に一定方向の力が加わるようにでき、凹凸係合部の製造コストを安価にできる。
本発明に係る管の設置方法は、既に地中に設置されている設置済管の外面に沿って設置済管の延長方向に管を進行させることで設置済管に並ぶように管を地中に設置する管の設置方法において、設置済管及び管として横断面矩形状に形成されたものを用い、管は管の一端開口縁面の全部が管の一端から管の他端方向に向けて傾斜する傾斜面に形成されたものを用い、傾斜面は管の一方の外面の一端から管の他端方向に向けて傾斜して管の一方の外面と平行に対向する他方の外面に到達する傾斜面に形成されたものを用い、管の傾斜面の傾斜始端側である管の一方の外面側を設置済管の外面側に位置させて管を設置済管の外面に沿って設置済管の延長方向に進行させて地中に設置するので、横断面矩形状の設置済管の横に沿うように横断面矩形状の管を進行させる際に傾斜面が土圧を受けることで、設置済管と管とに凹凸係合部を備えずとも管の進行方向を一定にでき、管が設置済管から離れて地中を進行するのを防止できる。また、設置済管と管とに凹凸係合部を備えた場合でも管の進行の際に凹凸係合部に一定方向の力が加わるようにでき、凹凸係合部の製造コストを安価にできる。
上記設置済管及び管として、曲がって延長する曲管を用いたので、曲がって延長する支保工を構築することができ、この際、上述した効果が得られる。
上記管の設置方法に用いる管は、管の一端開口縁面の全部又は一部が管の一端から管の他端方向に向けて傾斜する傾斜面に形成されたので、上記方法を実現可能な管を提供できる。
上記管の設置方法に用いる管は、横断面矩形状に形成され、管の一方の外面の一端から管の他端方向に向けて傾斜して管の一方の外面と平行に対向する他方の外面に到達する傾斜面を備えたので、上記方法を実現可能な断面矩形状の管を提供できる。
管として、外面にプレートを備えたものを用い、管の進行に伴ってプレートを設置済管の外面上で摺動させて、プレートが管の外面と設置済管の外面とを跨ぐように管を設置するので、管を進行させる際にプレートがガイドとなって管の位置決めが容易となるとともに、プレートが設置済管の外面に突き当たることで、管がプレートの板面と直交する方向のうちの一方向にずれるのを防止できる。
管として、外面に互いに対向する一対のプレートを備えたものを用い、管の進行に伴ってプレートを設置済管の外面上で摺動させて、プレートが管の外面と設置済管の外面とを跨ぐとともに一対のプレートで設置済管を挟み込むように管を設置するので、管を進行させる際にプレートがガイドとなって管の位置決めが容易となるとともに、管がプレートの板面と直交する方向にずれるのを防止できる。
管は、管の一端開口縁面の全部又は一部が管の一端から管の他端方向に向けて傾斜する傾斜面と、管の外面に固定されて管の外面から突出するプレートとを備えたので、管を進行させる際にプレートがガイドとなって管の位置決めが容易となるとともに、プレートが設置済管の外面に突き当たることで、管がプレートの板面と直交する方向のうちの一方向にずれるのを防止できる管を提供できる。
管は、横断面矩形状に形成され、管の一方の外面の一端から管の他端方向に向けて傾斜して管の一方の外面と平行に対向する他方の外面に到達する傾斜面と、管の一方の外面と直交する外面に固定されて当該外面における一方の外面側の縁から外方にはみ出して一方の外面と直交するとともに互いに平行に対向する一対のプレートと備えたので、管を進行させる際にプレートがガイドとなって管の位置決めが容易となるとともに、管がプレートの板面と直交する方向にずれるのを防止できる横断面矩形状の管を提供できる。
【図面の簡単な説明】
【０００６】
【図１】管及び設置済管を示す斜視図（実施形態１）。
【図２】管の正面、平面、背面を示す図（実施形態１）。
【図３】管の傾斜面の作用を説明する図（実施形態１）。
【図４】支保工の構築手順を示す図（実施形態１）。
【図５】管及び設置済管を示す斜視図（実施形態２）。
【図６】プレート付きの管及び設置済管を示す斜視図（実施形態３）。
【図７】管及び設置済管を横から見た図（実施形態３）。
【図８】管及び設置済管を横から見た図（実施形態４）。
【図９】プレート付きの管を示す斜視図（実施形態３）。
【図１０】プレート付きの管を示す斜視図（実施形態４）。
【図１１】管を示す側面図、及び、斜視図（実施形態５）。
【図１２】管を示す側面図、及び、斜視図（実施形態６）。
【図１３】管を示す斜視図（実施形態７）。
【図１４】プレート付き管を示す斜視図（実施形態８）。
【図１５】支保工の例を示す断面図（従来）。
【図１６】曲管の形状、設置形態を示す斜視図（従来）。
【図１７】曲管により構築された支保工の断面図（従来）。
【図１８】支保工の例を示す断面図（従来）。
【図１９】支保工の例を示す斜視図（従来）。
【発明を実施するための形態】
【０００７】
実施形態１
図１に示すように、実施形態１の管１は、管１の一端１ａから地中１０に入れて地中１０を進行させて管１を地中１０に設置する場合において、既に地中１０に設置されている設置済管５０の外面に沿って一定方向に進行させやすいように形成されたものである。
管１及び設置済管５０は、例えば、真っ直ぐに延長する管（中心軸が直線である管）であり、互いに対向する一方の一対の外側面のうちの一方の外側面（以下、第１面２１という）と他方の外側面（以下、第２面２２という）、及び、互いに対向する他方の一対の外側面のうちの一方の外側面（以下、第３面２３という）と他方の外側面（以下、第４面２４という）を有した両端開口の横断面矩形状の例えば鋼管により形成される。
管１及び設置済管５０は、内側面２５と外側面（例えば第３面２３及び第４面２４）とに貫通する図外の複数の貫通孔を備え、これ等貫通孔が注入孔として機能する。
【０００８】
図１；図２に示すように、管１は、一端開口縁面２０の全部が、一端１ａから他端１ｂの方向に向けて傾斜する傾斜面２６に形成される。この傾斜面２６は、第１面２１の一端１ａから管１の他端１ｂの方向に向けて傾斜して、管１の第１面２１と平行に対向する管１の第２面２２に到達する傾斜面である。即ち、管１の一端に位置する矩形環状の一端開口縁面２０を形成する傾斜面２６が、第１面２１の一端開口縁面と、第２面２２の一端開口縁面と、第３面２３の一端開口縁面と、第４面２４の一端開口縁面とで形成される。
傾斜面２６は、同一方向に傾斜する傾斜面により形成されるので、設置済管５０の第２面２２と隣り合わされる管１の第１面２１の一端縁２１ｔは、先鋭に形成される。管１を一端１ａ側から地中１０に入れる場合に、管１の第１面２１の一端縁２１ｔは管１の第２面２２の一端に位置する一端縁２２ｔよりも管１の進行方向側に位置する。
管１は、例えば、鋼管の中心軸と直交する面に形成された鋼管の一端開口縁面が斜めに除去されることで一端開口縁面２０が上記傾斜面２６に形成された構成の管である。
即ち、管１は、管１を地中１０に入れる場合に先頭側となる一端部に進行方向ガイド部を備え、当該進行方向ガイド部が上記傾斜面２６により構成される。
【０００９】
上記管１を図外の掘進装置を用いて一端１ａ側から地中１０に進行させると、図３に示すように、傾斜面２６が地中１０の土圧を受けることで楔のように作用して、想像線（一点鎖線）で示すように管１が傾斜面２６の傾斜に沿って地中１０を進行するようになる。
【００１０】
設置済管５０は、図４に示すように例えば先頭管５１と先頭管５１に繋げられる複数の後続管５２とにより形成される。この場合、先頭管５１としては、管の両端開口縁面が管の中心軸に対して直交する面に形成された管、あるいは、上述管１と同様に一端部に進行方向ガイド部としての傾斜面２６を有した管を用い、後続管５２としては、管の両端開口縁面が管の中心軸に対して直交する面に形成された管を用いる。
【００１１】
管１の設置方法を説明する。図４（ａ）に示すように既に地中１０に設置された先頭管５１と複数の後続管５２とからなる設置済管５０による支保工が形成されており、当該設置済管５０の外側面としての第２面２２に沿って設置済管５０の延長方向に管１を進行させることで設置済管５０に並ぶように管１を地中１０に設置する場合、図４（ｂ）に示すように管１の傾斜面２６の傾斜始端側である管１の第１面２１を設置済管５０の例えば第２面２２と接触するように位置させてから管１を地中１０へ進行させると、上述した楔の作用により、管１の傾斜面２６が地中１０の土圧を受け、これにより、管１の第１面２１が設置済管５０の第２面２２を押圧しながら第２面２２と接触した状態で管１が地中１０を進行する。そして、管１を地中１０に設置し、管１の他端（後端）１ｂが地中１０に入る前に図外の接続手段を用いて当該管１の他端１ｂに後続管５３の一端（前端）５３ａを繋いで管１を図外の掘進装置で進行させることにより、設置済管５０の第２面２２と管１及び後続管５３の第１面２１とを接触させた状態に管１及び後続管５３を地中１０に設置できる。その後、後続管５３の後端（他端）５３ｂに図外の接続手段を用いて更に後続させる後続管５３を繋いで管１を掘進装置で進行させることで、設置済管５０の第２面２２と管１及び複数の後続管５３の第１面２１とを接触させた状態に管１及び複数の後続管５３を設置できる（図４（ｃ）参照）。管１の後に繋げる後続管５３の数は１以上であり、例えば、最後尾となる後続管５３に更なる後続管５３を順次繋いで管１を掘進装置で進行させることで、設置済管５０の第２面２２と管１及び複数の後続管５３の第１面２１とを接触させた状態に管１及び複数の後続管５３を地中１０に設置でき、これら管１及び複数の後続管５３とからなる支保工を形成できる。尚、掘進装置としては、例えば、特許文献１；２などに開示された掘進装置を用いればよい。
管１及び予定した数の後続管５３を地中１０に設置することにより支保工を形成した後は、上述した注入孔を介して管１や後続管５３の内側より地中１０に地盤改良材を注入して地中１０に設置された管１及び複数の後続管５３の周りの地盤を改良する。
【００１２】
尚、管１及び複数の後続管５３とで形成された支保工を設置済管として利用し、当該管１及び複数の後続管５３とで形成された支保工の横に管１及び複数の後続管５３とからなる新たな支保工を形成できる。つまり、管１及び複数の後続管５３とで形成された支保工を設置済管として利用することで、管１及び複数の後続管５３とからなる支保工を複数並ぶように形成でき、図１８；図１９に示すような、支保工を構築できる。
【００１３】
実施形態１によれば、設置済管５０の延長方向に管を進行させることで設置済管５０に並ぶように管１を地中に設置する場合、管１として、管１の一端開口縁面２０の全部が管１の一端１ａから管１の他端１ｂ方向に向けて傾斜する傾斜面２６に形成され、傾斜面２６は管１の第１面２１（一方の外側面）の一端から管１の他端１ｂ方向に向けて傾斜して管１の第１面２１と平行に対向する第２面２２（他方の外側面）に到達する傾斜面に形成されたものを用い、管１の傾斜面２６の傾斜始端側である管１の第１面２１側を設置済管５０の第２面２２側に位置させて管１を設置済管５０の第２面２２に沿って設置済管５０の延長方向に進行させて地中１０に設置したので、設置済管５０と管１とに互いに係合する一対の凹凸係合部を設けなくとも、管１の一端に設けた傾斜面２６の作用により、管１を設置済管５０の延長方向に沿って地中１０に進行させる場合の進行方向を一定にできるので、管１が設置済管５０から離れて地中１０を進行するのを防止でき、設置済管５０の第２面２２に管１の第１面２１が接触するように管１を地中１０に設置できる。
従って、設置済管５０に沿って管１及び管１の後に繋げる後続管５３を地中１０に設置できて、互いに隣り合う設置済管５０による支保工と管１及び後続管５３による支保工とが互いに密接に接触するように形成できる。さらに、管１及び後続管５３による支保工を設置済管として利用し、当該支保工と密接に接触するように管１及び後続管による新たな支保工を順次形成していける。つまり、隣り合うもの同士で互いに密接に接触するように複数の支保工を構築できるで、これら複数の支保工の周りの地盤を適切に地盤改良できるとともに、複数の支保工で囲まれた領域内に領域外からの地下水が入りこむのを遮断しやすくなり、周辺地盤の沈下などを防止できる。
また、実施形態１によれば、従来の係合凹凸部を備えた管を用いる場合に比べて、管１、後続管５３、設置済管５０のコストを低減できる。
【００１４】
尚、１本の設置済管５０で支保工を形成してもよい。また、１本の管１で支保工を形成してもよい。
【００１５】
実施形態２
実施形態１では、管１、後続管５３、設置済管５０として真っ直ぐに延長する管を用いたが、管１、後続管５３、設置済管５０として、図５に示すように、円弧を描くように曲がって延長し、延長方向（管の中心軸）と直交する面で管を切断した場合の横断面が矩形状に形成された曲管を用いてもよい。
実施形態２では、地中１０に、図１５（ａ），（ｂ）に示したような、曲がって延長する支保工を構築することができるようになり、この場合において、実施形態１と同じ効果が得られる。
【００１６】
実施形態３
図６；図７；図９に示すように、実施形態１；２の管１にプレート３０を備えた構成の管１Ａを用いる。
プレート３０は、設置済管５０の第２面２２と隣り合わされる管１の第１面２１と隣り合って第１面２１と直交する管１の第３面２３に接続される。プレート３０は、管１の第３面２３における一端１ａと他端１ｂとに渡って延長するように設けられる。即ち、プレート３０は、管１の延長方向の全長に渡って延長するように管１の第３面２３に溶接などにより接続され、第３面２３における第１面２１側の縁２３ｅから外方にはみ出して第１面２１と直交するように設けられる。プレート３０は、例えば、互いに平行に対向する平面により形成された一対の板面３３；３４と、一端縁面３１と、他端縁面３２と、管１の第１面２１；第２面２２の面の曲率に対応した曲率の湾曲した一対の側面３５；３６とを備えた長尺な平板により形成される。プレート３０の一端縁面３１は、管１の第３面２３の一端（先端）１ａ側に位置される。プレート３０の一端縁面３１は、第３面２３に接続される側の一方の板面３３から他方の板面３４に向けて管１の他端１ｂ（後端）方向に立ち上がるように傾斜する傾斜面により形成される。即ち、プレートの一端縁面３１は、刃面に形成され、管１Ａが進行するのに伴って当該刃面の刃先３１ｔが設置済管５０の第３面２３にこびり着いた土や、セメントミルクや水ガラス等の地盤改良剤をはつるはつり具として機能する。プレートの他端縁面３２は、板面３３；３４に対して直交する面により形成され、管１の他端縁面２０ｅと同一平面上に位置される。
当該プレート３０を備えた構成の管１Ａが地中１０に設置される際に、プレート３０の一方の板面３３が設置済管５０の第３面２３（設置済管５０の他方の面２２と隣り合う面）上を移動することで、プレート３０が管１と設置済管５０とを跨ぐように設置済管５０の第３面２３上に載置されて管１の第１面２１と設置済管５０の第２面２２との間を塞ぐものである。
【００１７】
また、図示しないが、管１Ａの後に後続管を繋ぐ場合、管１Ａのプレート３０の他端縁面３２と面接触で突き合わされる一端縁面を有したプレートを持つ後続管を用いる。
【００１８】
従って、管１Ａの第１面２１を設置済管５０の第２面２２と接触させるとともに、プレート３０の一端側を設置済管５０の第３面２３上に載置してから管１Ａを進行させることによって、プレート３０の一端縁面３１の刃先３１ｔが設置済管５０の第３面２３にこびり着いた土や地盤改良材をはつるとともに、上述した楔の作用で、管１の第１面２１が設置済管５０の第２面２２を押圧しながら第２面２２と接触した状態で管１が地中１０を進行するので、プレート３０が、設置済管５０の第３面２３上を移動して設置済管５０の第３面２３上に設置されることで、設置済管５０の第２面２２と管１Ａの第１面２１との間を塞ぐとともに、設置済管５０の第２面２２に管１Ａ及び複数の後続管３の第１面２１が接触した支保工を構築できる。この場合、管１Ａの進行する際にプレート３０の一端縁面３１の刃先３１ｔが設置済管５０の第３面２３にこびり着いた土や地盤改良材をはつるので、管１Ａをスムーズに進行させることができる。
【００１９】
実施形態３によれば、管１Ａがプレート３０を備えたので、管１Ａを進行させる際にプレート３０がガイドとなって管１Ａの位置決めが容易となるとともに、プレート３０が設置済管５０の第３面２３に突き当たることで、管１Ａがプレート３０の板面３３；３４と直交する方向のうちの一方向にずれるのを防止できる。
また、管１Ａが管１の第３面２３における一端１ａと他端１ｂとに渡って延長するプレート３０を備えたので、管１Ａが地中１０に設置される際に、プレート３０が設置済管５０の第３面２３上を移動して設置済管５０の当該第３面２３上に設置され、管１Ａの第１面２１と設置済管５０の第２面２２との間を塞ぐので、支保工間の水密性が向上し、支保工で囲まれた領域内に領域外からの地下水が入りこむのを遮断する効果がより向上し、周辺地盤の沈下などを防止できる。
【００２０】
実施形態４
図８；図１０に示すように、管１の第３面２３と第４面２４との両方に上記プレート３０を備えた管１Ｂを用いてもよい。即ち、管１の第１面２１と直交する第３面２３と第４面２４とに固定されて当該第３面２３や第４面２４における第１面２１側の縁２３ｅから外方にはみ出して第１面２１と直交するとともに互いに平行に対向する一対のプレート３０；３０を備えた管１Ｂを用いれば、支保工間の水密性がさらに向上し、支保工で囲まれた領域内に領域外からの地下水が入りこむのを遮断する効果をさらに向上でき、周辺地盤の沈下などを防止できる。また、互いに平行に対向するように設けられた一対のプレートにより、設置済管５０の第３面２３と第４面２４とを挟み込むので、管１Ｂがプレート３０の板面３３；３４と直交する方向にずれるのを防止できる。
【００２１】
尚、図６乃至図８では、管としての曲管にプレート３０を備えた管を図示し、図９：図１０では、真っ直ぐに延長する管にプレート３０を備えた管を図示した。また、図９：図１０に示すように、プレート３０の一端縁面３１を刃面に形成しなくともよい。
また、上記では、プレート３０の一端縁面３１の刃先３１ｔや一端縁面３１が傾斜面２６の傾斜方向に傾斜して延長するように設けられた例を示したが、プレート３０の一端縁面３１の刃先３１ｔや一端縁面３１は、傾斜面２６の傾斜方向に傾斜して延長するように設けられていなくてもよい。また、上記では、管１の一端１ａと他端１ｂとに渡って延長するようなプレート３０を設けたが、管１の一端１ａと他端１ｂとの間においてプレート３０を間欠的に設けてもよい。
【００２２】
実施形態５
また、実施形態１乃至４において、図１１に示すように、管１の一端開口縁面２０における第１面２１の一端縁２１ｔは先鋭でなくてもよい。また、実施形態１乃至４において、図１２に示すように、傾斜面２６は、第１面２１から第２面２２まで延長する傾斜面でなくてもよい。即ち、管１は、管１の第１面２１を設置済管５０の第２面２２と接触するように位置させてから管１を地中１０へ進行させた場合に、上述した楔の作用で、管１の第１面２１を設置済管５０の第２面２２と接触しながら進行させる傾斜面２６を管１の一端部に備えていればよい。つまり、一端開口縁面２０の一部が傾斜面２６に形成されていればよい。
【００２３】
実施形態６
横断面円形状の管の場合にも本願発明を適用できる。即ち、図１３に示すように、横断面円形状の管の一端部に進行ガイド部として傾斜面２６を備えた管１を用いてもよい。また、図１４に示すように、設置済管５０の外周面５０ｆに載置される横断面弧状のプレート３０や図外の一対のプレート３０；３０を備えた横断面円形状の管１Ａを用いてもよい。
【符号の説明】
【００２４】
１；１Ａ；１Ｂ  管、１ａ  管の一端、１ｂ  管の他端、１０  地中、
２０  一端開口縁面、２６  傾斜面、３０  プレート、５０  設置済管。
【図１】
2011111728.tif 000003
【図２】
2011111728.tif 000004
【図３】
2011111728.tif 000005
【図４】
2011111728.tif 000006
【図５】
2011111728.tif 000007
【図６】
2011111728.tif 000008
【図７】
2011111728.tif 000009
【図８】
2011111728.tif 000010
【図９】
2011111728.tif 000011
【図１０】
2011111728.tif 000012
【図１１】
2011111728.tif 000013
【図１２】
2011111728.tif 000014
【図１３】
2011111728.tif 000015
【図１４】
2011111728.tif 000016
【図１５】
2011111728.tif 000017
【図１６】
2011111728.tif 000018
【図１７】
2011111728.tif 000019
【図１８】
2011111728.tif 000020
【図１９】
2011111728.tif 000021